(57)【要約】      （修正有）【課題】改良したウォールマウントを提供する。【解決手段】保持室のジャケット側を少なくとも部分的に取り囲むように設けられるジャケット壁１２と、保持室内に向けられた内側１６、および、内側と対向する外側を有し、前記保持室のベース側でジャケット壁に隣接する底壁１４と、リモコンが貫通して保持室内に挿入できる、保持室のカバー側の挿入開口部２０とを備え、２つの貫通開口部２２、２４が底壁を貫通して案内され、それぞれの貫通開口部を介して底壁を支持体に固定するための固定具を案内することができ、および２つのチャンバーが外側から底壁へ凹んで配置され、それぞれのチャンバーに、リモコンを保持室内に保持するための磁石を有する、リモコンを支持体上の円筒形の保持室内に保持するためのウォールマウント２。【選択図】図１
2020022738.tif 000002
【特許請求の範囲】
【請求項１】
保持室（６）のジャケット側を少なくとも部分的に取り囲むジャケット壁（１２）と、
前記保持室（６）内に向けられた内側（１６）、および、前記内側（１６）と対向する外側（１８）を有し、前記保持室（６）のベース側で前記ジャケット壁（１２）に隣接する底壁（１４）と、
リモコン（４）が貫通して前記保持室（６）内に挿入できる、前記保持室（６）のカバー側の挿入開口部（２０）とを備え、
２つの貫通開口部（２２、２４）が前記底壁（１４）を貫通して案内され、それぞれの貫通開口部を介して前記底壁（１４）を支持体に固定するための固定具を案内することができ、および
２つのチャンバー（２６、２８）が前記外側（１８）から前記底壁（１４）へ凹んで配置され、それぞれのチャンバーに、リモコン（４）を前記保持室（６）内に保持するための磁石（１０、１１）を有する、
リモコン（４）を支持体上の円筒形の保持室（６）内に保持するためのウォールマウント（２）。
【請求項２】
前記磁石（１０、１１）がそれぞれのチャンバー（２６、２８）内にポジティブロック方式で保持されている、請求項１に記載のウォールマウント（２）。
【請求項３】
フォームフィットのために、リング（３０）が、それぞれの磁石（１０、１１）が収容されているそれぞれのチャンバー（２６、２８）の壁（３４）から距離（３２）を置いて、各チャンバー（２６、２８）内に配置されている、請求項２に記載のウォールマウント（２）。
【請求項４】
追加的なチャンバー（３６）が２つの前記貫通開口部（２２、２４）の間に形成されている、請求項１乃至３のいずれか一項に記載のウォールマウント（２）。
【請求項５】
前記チャンバー（２６、２８、３６）が、前記底壁（１４）から前記保持室（６）内へ突出する円周方向の囲い壁（３８）により取り囲まれている、請求項１乃至４のいずれか一項に記載のウォールマウント（２）。
【請求項６】
前記囲い壁（３８）が、前記底壁（１4）から見たときに、前記チャンバー（２６、２８、３６）よりも大きく（４０）、したがって、前記囲い壁（３８）が、前記チャンバー（２６、２８、３６）の上方に、カバー（４４）を装着できる挿入スペース（４２）を画定する、請求項５に記載のウォールマウント（２）。
【請求項７】
前記底壁（１4）から前記保持室（６）内へ突出する支持リブ（４６）を備え、前記リモコン（４）が前記支持リブ（４６）に配置できるように、前記支持リブ（４６）が、前記底壁（１４）の上方における前記チャンバー（２６、２８、３６）を超える高さで前記チャンバー（２６、２８、３６）の周りに配置されている、請求項１乃至６のいずれか一項に記載のウォールマウント（２）。
【請求項８】
前記支持リブ（４６）を前記ジャケット壁（１２）および／または前記囲い壁（３８）および／またはそれ自体（４６）と連結する安定化リブ（４８、５０、５２）を備える、請求項７に記載のウォールマウント（２）。
【請求項９】
前記底壁（１４）と前記ジャケット壁（１２）との間に開口部（５４）を備え、前記リモコンを前記保持室から押し出すためのツールが前記開口部を貫通して案内され、好ましくは、受け入れ開口部が前記支持リブ（４６）を貫通する、前記請求項７乃至８のいずれか一項に記載のウォールマウント（２）。
【請求項１０】
前記請求項のいずれか一項に記載のウォールマウント（２）と、
前記ウォールマウント（２）の保持室（６）内に配置され、チャンバー（２６、２８）内の磁石（１０、１１）がリモコン（４）を前記保持室（６）に保持するように、磁化可能な要素が収容されているリモコン（４）と、
を備える、システム（５６）。
【発明の詳細な説明】
【技術分野】
【０００１】
本発明は、リモコンを支持体上に保持するためのウォールマウント、およびウォールマウントを備えたシステムに関する。
【背景技術】
【０００２】
ウォールマウントは、米国特許ＵＳ６，９７５，２２３Ｂ１から知られている。
【発明の概要】
【発明が解決しようとする課題】
【０００３】
本発明の目的は、ウォールマウントを改良することである。
【０００４】
この課題は、独立請求項の特徴により達成される。好ましい実施形態は従属請求項の主題である。
【課題を解決するための手段】
【０００５】
本発明の一態様によれば、リモコンを支持体上の円筒形の保持室内に保持するためのウォールマウントは、保持室のジャケット側を少なくとも部分的に取り囲むジャケット壁と、保持室内に向けられた内側、および、内側と対向する外側を有し、保持室のベース側でジャケット壁に隣接する底壁と、リモコンが貫通して保持室内に挿入できる、保持室のカバー側の挿入開口部とを備え、２つの貫通開口部が底壁を貫通して案内され、それぞれの貫通開口部を介して底壁を支持体に固定するための固定具を案内することができ、および、２つのチャンバーが外側から底壁へ凹んで配置され、それぞれのチャンバーに、リモコンを保持室内に保持するための磁石を有する。
【０００６】
提示されたウォールマウントは、特定の機器用のリモコンは、壁上の静止位置から操作される可能性が高いが、ユーザーが別の場所で操作するためにそれを壁から取り外すことはめったにないという考察に基づく。そのような機器の一例として、ホテルの空調システムが挙げられる。リモコンは通常、壁に取り付けられたウォールマウントに保持され、スイッチのように操作されることが多い。例外的な場合にのみ、リモコンが実際に取り外される。
【０００７】
冒頭に述べたウォールマウントでは、リモコンはバスケットの中に保持されているが、このバスケットは、リモコンの前面を部分的に覆っているため、リモコンがウォールブラケットの中に保持されているとき、前面全体をキーパッドとして使用することはできない。その代案としては、リモコンをフックまたは他のスナップ機構で保持することもできるが、例えばフックは機械的負荷を受けて破損する可能性があるため、技術的に困難である。
【０００８】
磁力によってリモコンを保持することで、この特定のウォールマウントは機械的応力の問題を回避する。したがって、リモコンは摩耗の兆候なしに必要なだけ特定のウォールマウントから取り外すことができる。また、磁石を保持室の後ろのベースプレートに配置することにより、磁石を保持室から取り外すことができないように確保する。これは、特に上記のようなホテルの場合、盗難に対する保護を提供する。
【０００９】
前述のウォールマウントの一実施形態では、磁石は、対応するチャンバー内にポジティブロック方式で保持されている。これは、磁石がチャンバー内に動かないように保持され、かつ、リモコンが保持室内に挿入され、磁力が磁石とリモコンとの間に作用しても騒音が発生しないことを意味する。
【００１０】
特定のウォールマウントの追加的な実施形態では、ポジティブロッキング用のリングが、それぞれの磁石が収容されているそれぞれのチャンバー内に、各チャンバーの壁から距離を置いて配置されている。リングは、それぞれのチャンバーの壁までの距離内で拡大することができるので、牽引力に加えて確実な連結を提供する。したがって、例えば、ウォールマウントを取り付ける際に、磁石はチャンバーから落ちることはない。
【００１１】
特定のウォールマウントの別の実施形態では、２つの貫通開口部の間に別のチャンバーを有する。この追加的なチャンバーは、一方では安定化効果を有し、他方では、追加的な磁石がこのチャンバー内に収容されることで、保持室内のリモコンの保持力を増大させることができる。
【００１２】
特定のウォールマウントの追加的な実施形態では、チャンバーは、底壁から保持室内へ突出する円周方向の囲い壁によって取り囲まれている。この囲い壁は、特定のウォールマウントの安定性を増加し、磁石でチャンバーを互いに固定する。
【００１３】
特定のウォールマウントの特定の実施形態では、囲い壁は、底壁から見たときに、チャンバーよりも大きいので、チャンバーの上方に、カバーが挿入できる挿入スペースを画定する。このカバーは、固定具を隠すために使用することができ、したがって、許可なしに支持体からウォールマウントを取り外す誘惑（盗難）を減少させる。
【００１４】
さらなる実施形態では、特定のウォールマウントは、底壁から保持室内へ突出する支持リブを備え、リモコンが支持リブに配置できるように、支持リブが、底壁の上方におけるチャンバーを超える高さでチャンバーの周りに配置されている。保持室に保持されたリモコンは、この支持リブに安定して揺れないように載っているので、ユーザーは制限なくリモコンのキーパッドを自由に操作することができる。
【００１５】
追加的な実施形態では、特定のリモコンは、支持リブをジャケット壁および／または囲い壁および／またはそれ自体と連結する安定化リブを備える。このようにして、支持リブはねじれから保護されるので、ブラスチック材料でも、比較的薄くすることができる。
【００１６】
さらなる実施形態では、特定のウォールマウントは、底壁とジャケット壁との間に開口部を備え、リモコンを保持室から押し出すためのツールが開口部を貫通して案内される。このようにして、リモコンは特定のウォールマウントから容易に取り外すことができる。
【００１７】
特定のウォールマウントのさらに好ましい実施形態では、受け入れ開口部が支持リブを貫通して案内されるので、ツールが保持室の奥深くに挿入され、リモコンが押し出されたときに比較的高いテコ力が加えられることができる。
【００１８】
特に好ましい実施形態では、特定のウォールマウントは射出成形品として実施される。むろん、磁石は射出成形品の中には含まれず、製造後に射出成形品のチャンバー内に挿入されるだけである。
【００１９】
本発明のさらなる態様によれば、システムは、特定のウォールマウントと、チャンバー内の磁石がリモコンを保持室内に保持するように装置の保持室内に配置された磁気ハウジングを有するリモコンとを備える。
【図面の簡単な説明】
【００２０】
本発明の上記の特性、特徴および利点並びにそれらの達成方法は、以下図面を参照して詳細に説明される実施形態の記載から明らかになる。
【図１】ウォールマウントの斜視図である。
【図２】下から見た図１のウォールマウントである。
【図３】図１のウォールマウントのベース部である。
【図４】保持室内でカバーが取り付けられている状態で見られた図１のウォールマウントである。
【図５】リモコンが挿入された図１のウォールマウントを備えるシステムである。
【００２１】
図面において、同じ技術的要素には同じ符号を付しており、一度だけ説明される。図は単に概略的なものであり、特に実際の幾何学的比例を反映していない。
【発明を実施するための最良の形態】
【００２２】
図１および図２を参照されたい。図１と図２は、図５に見られるリモコン４を図示されていない支持体上の円筒形の保持室６内に保持するためのウォールマウント２を異なる視点から示す。支持体は、例えば、ウォールマウント２が取り付けられた部屋の壁とすることができ、したがって、リモコン４は空調システムまたは類似の機器を制御するように設定することができる。
【００２３】
ウォールマウント２は、第一の磁石１０および第二の磁石１１とがこれから説明する方法で挿入される、図３に示すベース部８を備える。図の磁石内の「Ｓ」は、磁石のＳ極が図面の平面外に位置合わせされていることを示す。ベース部８は、射出成形品など鋳造品として完全に製造することができる。
【００２４】
ベース部８は、保持室６の図示されていないジャケット側を少なくとも部分的に取り囲むジャケット壁１２を備える。さらに、ベース部８は、保持室６の図示されていないベース側でジャケット壁１２に隣接し、保持室６内に向けられた内側１６、および内側１６と対向する外側１８を有する底壁１４を備える。最後に、ベース部８は、保持室６の図示されていないカバー側に、リモコン４が図５に示される方法で保持室６内に挿入できる挿入開口部２０を含む。
【００２５】
第一の貫通開口部２２および第二の貫通開口部２４は、底壁１４を貫通して案内され、それぞれの貫通開口部を介して底壁１４を支持体に固定するための固定具を案内することができる。固定具は必要に応じて選択することができる。ネジは通常、固定手段として使用される。貫通開口部２２、及び２４は、長円形の穴として設計され、第一の貫通開口部２２は第二の貫通開口部２４に対して垂直に配置される。このようにして、ベース部８、さらにウォールマウント２の位置は、それ自体公知の方法で支持体に合わせることができる。
【００２６】
貫通開口部２２、及び２４は仮想線上に配置され、外側からベース部８の底壁１４へ凹む、第一のチャンバー２６および第二のチャンバー２８の間に配置されている。２つのチャンバー２６、及び２８は、２つの貫通開口部２２、及び２４を通る上記仮想線上に対称的に同じ態様で配置されている。第一のチャンバー２６は、前述の第一の磁石１０を、第二のチャンバー２８は、前述の第二の磁石１１を収容する。両方の磁石１０、及び１１は、対応する磁気対極要素がリモコン４上にある場合、図５に示す方法で磁力によりリモコン４を保持室６内に保持する。この磁気対極要素は、例えば、磁化可能な金属ハウジングであり得る。
【００２７】
磁石１０、及び１１は、それぞれのチャンバー２６、及び２８内に確実に保持される。この目的のために、それぞれのチャンバー２６、及び２８の壁３４に対して距離３２を有するリング３０がチャンバー２６、及び２８内に配置されている。磁石１０、及び１１はそれぞれのリング３０に保持される。
【００２８】
２つの貫通開口部２２、及び２４の間に、原理的には磁石も配置され得る別のチャンバー３６が形成されている。しかしながら、本願では、この別のチャンバー３６は純粋に安定性の理由で実施されている。
【００２９】
３つのチャンバー２６、２８、及び３６は、底壁１４から保持室６内へ突出する円周方向の囲い壁３８によって閉じ込められまたは取り囲まれる。底壁１４から見た囲い壁３８はチャンバー２６、２８、及び３６よりも大きい。これは、囲い壁３８が突出部４０でチャンバー２６、２８、及び３６を超えることを意味する。この突出部４０は、チャンバー２６、２８、及び３６の上方の底壁１４の内側１６から見たときに、図４に示すカバー４４が挿入できる挿入スペース４２を区切りまたは画定する。
【００３０】
さらに、ウォールマウント２のベース部８は、底壁１４の内側１６に配置され、保持室６内に突出する支持リブ４６を備える。支持リブ４６は、チャンバー２６、２８、３６の周りおよび囲い壁３８の周りに配置され、かつ、突出部４０と等しい高さでチャンバー２６、２８、及び３６を超える。これは、囲い壁３８および支持リブ４６が、底壁１４の内側１６から見たときに、同じ高さを有することを意味する。支持リブ４６のジャケット壁１２からの図示されていない平均距離は、チャンバー２６、２８、３６および囲い壁３８の図示されていない平均距離より何倍も小さい。このようにして、リモコンは、保持室６内に挿入されたときに、支持リブ４６に確実に載せられる。
【００３１】
安定性を提供するために、ウォールマウント２のベース部８はさらに、３つの異なる種類の安定化リブを含む。第一の安定化リブ４８は、支持リブ４６をジャケット壁１２に連結する。分かりやすくするために、すべての第一の安定化リブ４８が図中にそれら自身の符号を付されているわけではない。第二の安定化リブ５０は、支持リブ４６を囲い壁３８に連結する。分かりやすくするために、すべての第二の安定化リブ５０が図中に符号により示されているわけではない。最後に、第三の安定化リブ５２は、支持リブ４６を互いに連結する。分かりやすくするために、すべての第三の安定化リブ５２が図中に符号により示されているわけではない。
【００３２】
リモコン４をウォールマウント２から取り外すことを可能にするために、ベース部８は、底壁１４とジャケット壁１２との間に開口部５４を備える。例えばドライバーの形態の図示されていないツールは、開口部５４を貫通して案内されることができ、また、リモコン４は保持室６から押し出されることができる。この目的のために、開口部５４の縁部をテコ作用点として使用することができ、ツールは押圧されたときに、このテコ作用点を中心に回転する。ツールが受け入れ開口部６内に出来る限り深く挿入されることを確保するために、開口部は、支持リブ４８を貫通し、所望により次の第三の安定化リブ５２を貫通して案内されることもできる。
【００３３】
ウォールマウント２と、ウォールマウント２の保持室に挿入されたモコン４とを備えるシステム５６を図５に示す。
【図１】
2020022738.tif 000003
【図２】
2020022738.tif 000004
【図３】
2020022738.tif 000005
【図４】
2020022738.tif 000006
【図５】
2020022738.tif 000007
【外国語明細書】
2020022738000001.pdf